(57)【特許請求の範囲】
【請求項１】
近距離無線通信（NFC）コントローラにより、タグのタイプを読み取るステップと、
前記NFCコントローラにより、前記タグの前記タイプに従って前記タグにおいてNFCデータ交換フォーマット（NDEF）検出を実行するステップと、
前記NFCコントローラにより、前記NDEF検出が前記タグにおいてNDEFメッセージの存在を示す場合、通知メッセージをデバイスホストに送信するステップであり、前記通知メッセージは、前記タグにおける前記NDEFメッセージの前記存在を有するステップと
を有するタグ識別方法。
【請求項２】
前記NFCコントローラにより、前記タグの前記タイプに従って前記タグにおいて前記NDEF検出を実行するステップは、
前記タグの前記タイプがType  1である場合、前記NFCコントローラにより、前記タグのヘッダ読み取り専用メモリHR0に従って前記タグにおいて前記NDEF検出を実行するステップを有する、請求項１に記載の方法。
【請求項３】
前記NFCコントローラにより、前記タグの前記タイプに従って前記タグにおいて前記NDEF検出を実行するステップは、
前記タグの前記タイプがType  2である場合、前記NFCコントローラにより、前記タグの能力コンテナ（CC）に従って前記タグにおいて前記NDEF検出を実行するステップを有する、請求項１に記載の方法。
【請求項４】
前記NFCコントローラにより、前記タグの前記タイプに従って前記タグにおいて前記NDEF検出を実行するステップは、
前記タグの前記タイプがType  3である場合、前記NFCコントローラにより、前記タグのSystem  Codeに従って前記タグにおいて前記NDEF検出を実行するステップを有する、請求項１に記載の方法。
【請求項５】
前記NFCコントローラにより、前記タグの前記タイプに従って前記タグにおいて前記NDEF検出を実行するステップは、
前記タグの前記タイプがType  4である場合、前記NFCコントローラにより、前記タグの能力コンテナ（CC）ファイルのファイル識別子に従って前記タグにおいて前記NDEF検出を実行するステップを有する、請求項１に記載の方法。
【請求項６】
前記NFCコントローラにより、NDEF無線周波数インタフェースを介して、前記デバイスホストにより送信された読み取り／書き込みコマンドを受信するステップと、
前記NFCコントローラにより、前記読み取り／書き込みコマンドをNDEF読み取り／書き込みコマンドに変換するステップと、
前記NFCコントローラにより、前記NDEF読み取り／書き込みコマンドに従って前記タグにおいてデータ読み取り／書き込みを実行するステップと
を更に有する、請求項１ないし５のうちいずれか１項に記載の方法。
【請求項７】
近距離無線通信（NFC）コントローラと、前記NFCコントローラに結合されたデバイスホストとを有するタグ識別装置であって、
前記NFCコントローラは、
タグのタイプを読み取り、
前記タグの前記タイプに従って前記タグにおいてNFCデータ交換フォーマット（NDEF）検出を実行し、
前記NDEF検出が前記タグにおいてNDEFメッセージの存在を示す場合、通知メッセージを前記デバイスホストに送信するように構成され、前記通知メッセージは、前記タグにおける前記NDEFメッセージの前記存在を有するタグ識別装置。
【請求項８】
前記タグの前記タイプがType  1である場合、前記NFCコントローラは、前記タグのヘッダ読み取り専用メモリHR0に従って前記タグにおいて前記NDEF検出を実行するように構成される、請求項７に記載の装置。
【請求項９】
前記タグの前記タイプがType  2である場合、前記NFCコントローラは、前記タグの能力コンテナ（CC）に従って前記タグにおいて前記NDEF検出を実行するように構成される、請求項７に記載の装置。
【請求項１０】
前記タグの前記タイプがType  3である場合、前記NFCコントローラは、前記タグのSystem  Codeに従って前記タグにおいて前記NDEF検出を実行するように構成される、請求項７に記載の装置。
【請求項１１】
前記タグの前記タイプがType  4である場合、前記NFCコントローラは、前記タグの能力コンテナ（CC）ファイルのファイル識別子に従って前記タグにおいて前記NDEF検出を実行するように構成される、請求項７に記載の装置。
【請求項１２】
前記NFCコントローラは、
NDEF無線周波数インタフェースを介して、前記デバイスホストにより送信された読み取り／書き込みコマンドを受信し、
前記読み取り／書き込みコマンドをNDEF読み取り／書き込みコマンドに変換し、
前記NDEF読み取り／書き込みコマンドに従って前記タグにおいてデータ読み取り／書き込みを実行するように構成される、請求項７ないし１１のうちいずれか１項に記載の装置。
【発明の詳細な説明】
【技術分野】
【０００１】
本発明は、通信技術の分野に関し、特にタグ識別方法及び装置に関する。
【背景技術】
【０００２】
近距離無線通信（Near  Field  Communication、NFC）は、磁場誘導を用いて近い距離の電子デバイスの間の通信を実現することができる短距離無線接続技術であり、２つのデバイスは、接近又は衝突によりデータ交換を実現する。
【０００３】
従来技術では、NFC端末がNFCタグを検出した後に、NFC端末の近距離無線通信コントローラ（Near  Field  Communication  Controller、NFCコントローラ）は、NFCタグの全内容を読み取り、NFCタグの全内容をNFC端末のデバイスホスト（Device  Host、デバイスホスト）に送信し、デバイスホストがNFCタグを処理する。一般的に、デバイスホストは、NFCタグの全内容に従って、NFCタグのフォーマットがNFCデータ交換フォーマット（NFC  Data  Exchange  Format、NDEF）に合致するか否かを決定する。
【０００４】
しかし、従来技術では、デバイスホストは、NFCタグの全内容を取得することによってのみ、NFCタグのフォーマットを決定することができる。このことは、デバイスホストがNFCタグの大量のデータを読み取り、比較的複雑な動作を実行することをもたらす。
【発明の概要】
【０００５】
本発明の実施例は、NFCタグが処理され得るように、NFC端末のデバイスホストによるタグのフォーマットを決定するステップの低減を実現することができるタグ識別方法及び装置を提供する。
【０００６】
第１の態様によれば、本発明の実施例は、タグ識別方法を提供し、近距離無線通信（NFC）コントローラにより、タグのタイプを読み取るステップと、NFCコントローラにより、タグのタイプに従ってタグのフォーマットがNFCデータ交換フォーマット（NDEF）であるか否かを決定するステップと、NFCコントローラにより、タグのフォーマットがNDEFであることをNFCコントローラが決定した場合、通知メッセージをデバイスホストに送信するステップであり、通知メッセージは、タグのフォーマットがNDEFであることを含むステップとを含む。
【０００７】
第１の可能な実施例では、第１の態様を参照して、近距離無線通信（NFC）コントローラにより、タグのタイプを読み取る前に、この方法は、NFCコントローラにより、デバイスホストにより送信された構成コマンドを受信するステップであり、構成コマンドは、NFCコントローラがタグにおいてNDEF検出を実行するか否かを示すために使用されるステップを更に含む。
【０００８】
第２の可能な実施例では、第１の態様又は第１の態様の第１の可能な実施例を参照して、NFCコントローラにより、タグのタイプに従ってタグのフォーマットがNFCデータ交換フォーマット（NDEF）であるか否かを決定するステップは、タグのタイプがType  1である場合、NFCコントローラにより、タグのフォーマットがタグのヘッダ読み取り専用メモリ（HR）0に従ってNDEFであるか否かを決定するステップと、タグのタイプがType  2である場合、NFCコントローラにより、タグのフォーマットがタグの能力コンテナ（CC）に従ってNDEFであるか否かを決定するステップと、タグのタイプがType  3である場合、NFCコントローラにより、タグのフォーマットがタグのシステムコード（System  Code）に従ってNDEFであるか否かを決定するステップと、タグのタイプがType  4である場合、NFCコントローラにより、タグのフォーマットがタグの能力コンテナ（CC）ファイルのファイル識別子に従ってNDEFであるか否かを決定するステップとを含む。
【０００９】
第３の可能な実施例では、第１の態様又は第１の態様の前述の可能な実施例の一方を参照して、NFCコントローラにより、デバイスホストにより送信された構成コマンドを受信する前に、この方法は、NFCコントローラにより、フォーマット機能メッセージをデバイスホストに送信するステップであり、フォーマット機能メッセージは、NFCコントローラがタグにおいてNDEF検出を実行する能力を有するか否かについての情報を保持するステップを更に含む。
【００１０】
第４の可能な実施例では、第１の態様の第３の可能な実施例を参照して、NFCコントローラにより、フォーマット機能メッセージをデバイスホストに送信する前に、この方法は、NFCコントローラにより、デバイスホストにより送信された初期化コマンドを受信するステップを更に含み、NFCコントローラにより、フォーマット機能メッセージをデバイスホストに送信するステップは、NFCコントローラにより、初期化応答をデバイスホストに送信するステップであり、初期化応答は、NFCコントローラがタグにおいてNDEF検出を実行する能力を有するか否かについての情報を保持するステップを含む。
【００１１】
第５の可能な実施例では、第１の態様の第１の可能な実施例を参照して、構成コマンドは、NFCコントローラがタグにおいてデータタイプ検出を実行することを示すために更に使用される。
【００１２】
第６の可能な実施例では、第１の態様又は第１の態様の前述の可能な実施例のいずれか１つを参照して、NFCコントローラにより、通知メッセージをデバイスホストに送信した後に、この方法は、NFCコントローラにより、NDEF無線周波数インタフェースを使用することによって、デバイスホストにより送信された読み取り／書き込みコマンドを受信するステップと、NFCコントローラにより、読み取り／書き込みコマンドをNDEF読み取り／書き込みコマンドに変換するステップと、NFCコントローラにより、NDEF読み取り／書き込みコマンドに従ってタグにおいてデータ読み取り／書き込みを実行するステップとを更に含む。
【００１３】
第２の態様によれば、本発明の実施例は、タグ識別装置を提供し、タグのタイプを読み取るように構成された読み取りモジュールと、タグのタイプに従ってタグのフォーマットがNFCデータ交換フォーマット（NDEF）であるか否かを決定するように構成された決定モジュールと、タグのフォーマットがNDEFであることを決定モジュールが決定した場合、通知メッセージをデバイスホストに送信するように構成された送信モジュールであり、通知メッセージは、タグのフォーマットがNDEFであることを含む送信モジュールとを含む。
【００１４】
第１の可能な実施例では、第２の態様を参照して、この装置は、デバイスホストにより送信された構成コマンドを受信するように構成された受信モジュールであり、構成コマンドは、NFCコントローラがタグにおいてNDEF検出を実行するか否かを示すために使用される受信モジュールを更に含む。
【００１５】
第２の可能な実施例では、第２の態様又は第２の態様の第１の可能な実施例を参照して、決定モジュールは、タグのタイプがType  1である場合、タグのフォーマットがタグのヘッダ読み取り専用メモリ（HR）0に従ってNDEFであるか否かを決定し、タグのタイプがType  2である場合、タグのフォーマットがタグの能力コンテナ（CC）に従ってNDEFであるか否かを決定し、タグのタイプがType  3である場合、タグのフォーマットがタグのシステムコード（System  Code）に従ってNDEFであるか否かを決定し、タグのタイプがType  4である場合、タグのフォーマットがタグの能力コンテナ（CC）ファイルのファイル識別子に従ってNDEFであるか否かを決定するように具体的に構成される。
【００１６】
第３の可能な実施例では、第２の態様又は第２の態様の前述の可能な実施例の一方を参照して、送信モジュールは、フォーマット機能メッセージをデバイスホストに送信するように更に構成され、フォーマット機能メッセージは、NFCコントローラがタグにおいてNDEF検出を実行する能力を有するか否かについての情報を保持する。
【００１７】
第４の可能な実施例では、第２の態様の第３の可能な実施例を参照して、受信モジュールは、デバイスホストにより送信された初期化コマンドを受信するように更に構成され、送信モジュールは、初期化応答をデバイスホストに送信するように更に構成され、初期化応答は、NFCコントローラがタグにおいてNDEF検出を実行する能力を有するか否かについての情報を保持する。
【００１８】
第５の可能な実施例では、第２の態様の第１の可能な実施例を参照して、構成コマンドは、NFCコントローラがタグにおいてデータタイプ検出を実行することを示すために更に使用される。
【００１９】
第６の可能な実施例では、第２の態様又は第２の態様の前述の可能な実施例のいずれか１つを参照して、受信モジュールは、NDEF無線周波数インタフェースを使用することによって、デバイスホストにより送信された読み取り／書き込みコマンドを受信するように更に構成され、この装置は、読み取り／書き込みコマンドをNDEF読み取り／書き込みコマンドに変換するように構成された変換モジュールと、NDEF読み取り／書き込みコマンドに従ってタグにおいてデータ読み取り／書き込みを実行するように構成された処理モジュールとを更に含む。
【００２０】
第３の態様によれば、本発明の実施例は、タグ識別装置を提供し、この装置は、近距離無線通信（NFC）コントローラと、デバイスホストとを含み、NFCコントローラは、デバイスホストに接続され、NFCコントローラは、タグのタイプを読み取り、タグのタイプに従ってタグのフォーマットがNFCデータ交換フォーマット（NDEF）であるか否かを決定するように構成され、タグのフォーマットがNDEFであることをNFCコントローラが決定した場合、NFCコントローラは、通知メッセージをデバイスホストに送信し、通知メッセージは、タグのフォーマットがNDEFであることを含み、デバイスホストは、NFCコントローラにより送信された通知メッセージを受信するように構成される。
【００２１】
第１の可能な実施例では、第３の態様を参照して、デバイスホストは、構成コマンドをNFCコントローラに送信するように更に構成され、構成コマンドは、NFCコントローラがタグにおいてNDEF検出を実行するか否かを示すために使用され、NFCコントローラは、デバイスホストにより送信された構成コマンドを受信するように更に構成される。
【００２２】
第２の可能な実施例では、第３の態様又は第３の態様の第１の可能な実施例を参照して、NFCコントローラは、タグのタイプがType  1である場合、タグのフォーマットがタグのヘッダ読み取り専用メモリ（HR）0に従ってNDEFであるか否かを決定し、タグのタイプがType  2である場合、タグのフォーマットがタグの能力コンテナ（CC）に従ってNDEFであるか否かを決定し、タグのタイプがType  3である場合、タグのフォーマットがタグのシステムコード（System  Code）に従ってNDEFであるか否かを決定し、タグのタイプがType  4である場合、タグのフォーマットがタグの能力コンテナ（CC）ファイルのファイル識別子に従ってNDEFであるか否かを決定するように具体的に構成される。
【００２３】
第３の可能な実施例では、第３の態様又は第３の態様の前述の可能な実施例の一方を参照して、NFCコントローラは、フォーマット機能メッセージをデバイスホストに送信するように更に構成され、フォーマット機能メッセージは、NFCコントローラがタグにおいてNDEF検出を実行する能力を有するか否かについての情報を保持する。
【００２４】
第４の可能な実施例では、第３の態様の第３の可能な実施例を参照して、デバイスホストは、初期化コマンドをNFCコントローラに送信するように更に構成され、NFCコントローラは、デバイスホストにより送信された初期化コマンドを受信した後に、初期化応答をデバイスホストに送信するように更に構成され、初期化応答は、NFCコントローラがタグにおいてNDEF検出を実行する能力を有するか否かについての情報を保持する。
【００２５】
第５の可能な実施例では、第３の態様の第１の可能な実施例を参照して、構成コマンドは、NFCコントローラがタグにおいてデータタイプ検出を実行することを示すために更に使用される。
【００２６】
第６の可能な実施例では、第３の態様又は第３の態様の前述の可能な実施例のいずれか１つを参照して、デバイスホストは、NFCコントローラにより送信された通知メッセージを受信した後に、NFCコントローラとデータ送信を実行するためにNDEF無線周波数インタフェースを確立するように更に構成される。
【００２７】
第７の可能な実施例では、第３の態様の第６の可能な実施例を参照して、デバイスホストは、NDEF無線周波数インタフェースを使用することによって、読み取り／書き込みコマンドをNFCコントローラに送信するように更に構成され、NFCコントローラは、NDEF無線周波数インタフェースを使用することによって、デバイスホストにより送信された読み取り／書き込みコマンドを受信し、読み取り／書き込みコマンドをNDEF読み取り／書き込みコマンドに変換し、NDEF読み取り／書き込みコマンドに従ってタグにおいてデータ読み取り／書き込みを実行するように更に構成される。
【００２８】
本発明の実施例で提供されるタグ識別方法及び装置によれば、NFCコントローラは、タグのタイプを読み取り、タグのタイプに従ってタグのフォーマットがNFCデータ交換フォーマットであるか否かを決定する。NFCコントローラは、タグのフォーマットがNFCデータ交換フォーマットであることをNFCコントローラが決定した場合、通知メッセージをデバイスホストに送信し、通知メッセージは、タグのフォーマットがNFCデータ交換フォーマットであるという情報を含む。デバイスホストがNFCタグの全内容を取得することによってのみ、NFCタグのフォーマットを決定することができ、このことは、デバイスホストがNFCタグの大量のデータを読み取り、比較的複雑な動作を実行することをもたらす従来技術と比べて、本発明の実施例は、NFCタグが処理され得るように、NFC端末のデバイスホストによるタグのフォーマットを決定するステップの低減を実現することができる。
【図面の簡単な説明】
【００２９】
本発明の実施例の技術的対策を明確に説明するために、以下に、実施例又は従来技術を説明するために必要な添付図面を簡単に紹介する。明らかに、以下の説明の添付図面は、本発明の単に幾つかの実施例を示しているに過ぎず、当業者は、創造的取り組みを行うことなく、これらの添付図面から依然として他の図面を導き得る。
【図１】本発明の実施例によるタグ識別方法のフローチャート
【図２】本発明の実施例による他のタグ識別方法のフローチャート
【図３】本発明の実施例によるタグ識別方法において、デバイスホストとNFCコントローラの間及びNFCコントローラとタグとの間の送信構成の概略図
【図４】本発明の実施例によるタグ識別装置の概略構成図
【図５】本発明の実施例による他のタグ識別装置の概略構成図
【図６】本発明の実施例による更に他のタグ識別装置の概略構成図
【発明を実施するための形態】
【００３０】
以下に、本発明の実施例の添付図面を参照して、本発明の実施例の技術的対策を明確且つ完全に説明する。明らかに、説明する実施例は、本発明の実施例の全てではなく、一部に過ぎない。創造的取り組みを行うことなく、本発明の実施例に基づいて当業者により得られる全ての他の実施例は、本発明の保護範囲内に入るものとする。
【００３１】
図１に示すように、本発明の実施例は、タグ識別方法を提供し、この方法は以下を含む。
【００３２】
101：NFCコントローラは、タグのタイプを読み取る。
【００３３】
NFCコントローラは、NFC端末のコントローラである。NFC端末は、移動電話、タブレットコンピュータ又はカメラのようなNFC機能を有する端末でもよい。説明を容易にするために、一例としてNFC機能を有する移動電話を使用することにより実施例について説明する。NFCコントローラは、NFC無線周波数インタフェースでデータを送信する役目をする論理エンティティである。NFC機能を有する移動電話の例では、NFCコントローラは、移動電話のNFCチップを示す。
【００３４】
この実施例では、タグは、NFCタグである。NFCタグのタイプは、Type1、Type2、Type3及びType4である。NFCコントローラがタグのタイプを読み取る方式については、NFC  Forum  Analog標準、NFC  Forum  Digit標準及びNFC  Forum  Activity標準に参照が行われてもよい。
【００３５】
NFCコントローラは、タグを発見し、無線周波数発見を用いてタグの属性を取得してもよい。NFCコントローラがタグを発見し、無線周波数発見を用いてタグの属性を取得する処理については、NFC  Forum  Analog標準、NFC  Forum  Digit標準及びNFC  Forum  Activity標準に参照が行われてもよい。タグの属性は、タグのフォーマット、タグのデータタイプ、タグによりサポートされる機能等を含んでもよい。ここで、タグによりサポートされる機能は、NFCコントローラとタグとの間に通信を確立する処理において必要な能力を示す。
【００３６】
102：NFCコントローラは、タグのタイプに従ってタグのフォーマットがNDEFであるか否かを決定する。
【００３７】
NDEFは、情報交換の間の情報のカプセル化フォーマットを定義する。情報は、NFC端末の間又はNFC端末とNFCタグとの間で送信される。NDEFは、軽量のバイナリメッセージフォーマットでもよく、いずれかのタイプ及びいずれかのサイズの１つ以上のユーザ定義データをカプセル化するために使用されてもよい。
【００３８】
タグのタイプがType  1である場合、NFCコントローラは、タグのフォーマットがタグのヘッダ読み取り専用メモリ（Header  Read-Only  Memory、HR）0に従ってNDEFであるか否かを決定する。具体的に、HR0の長さが1バイトであり、HR0の４つの高位ビットが0001bである場合、NFCコントローラは、タグのフォーマットがNDEFであることを決定する。タグのタイプがType  2である場合、NFCコントローラは、タグのフォーマットがタグの能力コンテナ（Capability  Container、CC）に従ってNDEFであるか否かを決定する。具体的に、CCの長さが4バイトであり、最初のバイトの値がE1h（E1は16進フォーマットである）である場合、NFCコントローラは、タグのフォーマットがNDEFであることを決定する。タグのタイプがType  3である場合、NFCコントローラは、タグのフォーマットがタグのSystem  Codeに従ってNDEFであるか否かを決定する。具体的に、System  Codeの長さが2バイトであり、System  Codeの値が12FCh（12FCは16進フォーマットである）である場合、NFCコントローラは、タグのフォーマットがNDEFであることを決定する。タグのタイプがType  4である場合、NFCコントローラは、タグのフォーマットがタグの能力コンテナ（Capability  Container、CC）ファイルのファイル識別子に従ってNDEFであるか否かを決定する。具体的に、CCファイルのファイル識別子の長さが2バイトであり、CCファイルのファイル識別子の値がE103h（E103は16進フォーマットである）である場合、NFCコントローラは、タグのフォーマットがNDEFであることを決定する。
【００３９】
任意選択で、タグのフォーマットがNDEFであることをNFCコントローラが決定した場合、NFCコントローラは、タグのデータタイプを更に決定してもよい。タグは、8個のデータタイプを有する。具体的に、NFCコントローラは、タグ（Type 1、Type 2、Type 3及びType 4）のTNFフィールドからデータタイプ情報を取得し、データタイプ情報の内容に従ってタグのデータタイプを決定する。TNFフィールドの値は、0x00、0x01、0x02、0x03、0x04、0x05、0x06又は0x07でもよく、NFCコントローラは、TNFフィールドの値に従ってタグのデータタイプ情報を決定してもよい。タグのデータタイプは、具体的にNDEFメッセージのタイプである。0x00は、NDEFメッセージが空のメッセージであることを表す。0x01は、NDEFメッセージがNFC  Forum標準団体によるRTD（Record  Type  Define）標準に定義された内部データタイプを格納することを表す。0x02は、NDEFメッセージが画像及び音声のようなRFC（Request  For  Comments）2046標準に定義されたメディアタイプを格納することを表す。0x03は、NDEFメッセージがRFC  3986標準に定義されたユニフォーム・リソース・アイデンテフィア（Uniform  Resource  Identifier、URI）を格納することを表す。0x04は、NDEFメッセージがNFC  Forum標準団体によるRTD（Record  Type  Define）標準に定義された外部データタイプを格納することを表す。0x05は、NDEFメッセージが未知のタイプの１つのデータを格納することを表す。0x06は、NDEFメッセージが連続するNDEFタグの系列の中の中間のタグであることを表し、タグのデータタイプは、前のNDEFタグのものと同じである。0x07は、NDEFメッセージが留保されて一時的に使用されていないことを表す。
【００４０】
103：NFCコントローラは、タグのフォーマットがNDEFであることをNFCコントローラが決定した場合、通知メッセージをデバイスホストに送信する。通知メッセージは、タグのフォーマットがNDEFであるという情報を含む。
【００４１】
デバイスホストは、初期化、構成及び電力管理のようなNFCコントローラの管理を含み、NFC端末及び周辺機器の動作環境を管理する役目をする。NFC機能を有する移動電話の例では、デバイスホストは、移動電話のCPUを示してもよい。
【００４２】
この実施例では、例えば、NFCコントローラは、通知メッセージをデバイスホストに送信する。例えば、通知メッセージは、無線周波数発見通知（RF_DISCOVER_NTF）である。RF_DISCOVER_NTFの具体的な形式は表１に示されている。
【表１】
0006301520.tif 000002
【００４３】
表１において、フィールドにより示される意味又は値の例は以下の通りである。
NDEF  Infoは、1バイト（1  Octet）を占有するNDEF情報を示す。
Xは、タグのフォーマットがNDEFであるか否かを示す。
X≠0000  0000である場合、これは、タグのフォーマットがNDEFであることを示す。
【００４４】
任意選択で、タグのフォーマットがNFCデータ交換フォーマットでないことをNFCコントローラが決定した場合、NFCコントローラは、依然として通知メッセージをデバイスホストに送信してもよい。通知メッセージ（RF_DISCOVER_NTF）のXがX=0000  0000を満たす場合、これは、タグのフォーマットがNDEFでないことを示す。
【００４５】
任意選択で、NFCコントローラによりデバイスホストに送信される通知メッセージは、タグのデータタイプを更に含んでもよい。例えば、NFCコントローラは、RF_DISCOVER_NTFをデバイスホストに送信する。RF_DISCOVER_NTFの具体的な形式は表２に示されている。
【表２】
0006301520.tif 000003
【００４６】
表２において、フィールドにより示される意味又は値の例は以下の通りである。NDEF  Infoの詳細な説明については、表１の説明に参照が行われてもよく、ここでは詳細について再び説明しない。
タイプ名フォーマット（Type  Name  Format、TNF）は、タグのデータタイプについての情報を示し、1バイト（1  Octet）を占有する。
X=0x00である場合、これは、NDEFメッセージが空のメッセージであることを示す（タグはNDEFメッセージを含む）。
X=0x01である場合、これは、NDEFメッセージがNFC  Forum標準団体によるRTD（Record  Type  Define）標準に定義された内部データタイプ等を格納することを示す。
【００４７】
この実施例では、Xはタグの具体的なデータタイプを示すことに限定されない点に留意すべきである。例えば、X=0x07である場合、これは、NDEFメッセージが留保されて一時的に使用されていないことを示す。
【００４８】
本発明のこの実施例で提供されるタグ識別方法によれば、NFCコントローラは、タグのタイプを読み取り、タグのタイプに従ってタグのフォーマットがNFCデータ交換フォーマットであるか否かを決定する。NFCコントローラは、タグのフォーマットがNFCデータ交換フォーマットであることをNFCコントローラが決定した場合、通知メッセージをデバイスホストに送信し、通知メッセージは、タグのフォーマットがNFCデータ交換フォーマットであるという情報を含む。デバイスホストがNFCタグの全内容を取得することによってのみ、NFCタグのフォーマットを決定することができ、このことは、デバイスホストがNFCタグの大量のデータを読み取り、比較的複雑な動作を実行することをもたらす従来技術と比べて、本発明のこの実施例は、NFCタグが処理され得るように、NFC端末のデバイスホストによるタグのフォーマットを決定するステップの低減を実現することができる。
【００４９】
本発明の他の実施例では、タグ識別方法が提供される。図２に示すように、この方法は以下を含む。
【００５０】
201：NFCコントローラは、フォーマット機能メッセージをデバイスホストに送信する。フォーマット機能メッセージは、NFCコントローラがタグにおいてNDEF検出を実行する能力を有するか否かについての情報を保持する。
【００５１】
任意選択で、NFCコントローラは、以下の２つの方式でフォーマット機能メッセージをデバイスホストに送信する。
【００５２】
方式１：デバイスホストは、初期化コマンドをNFCコントローラに送信する。NFCコントローラは、初期化コマンドを受信した後に、初期化応答をデバイスホストに送信する。すなわち、フォーマット機能メッセージは、具体的に初期化応答であり、初期化コマンドは、NFCコントローラを初期化するために使用される。例えば、デバイスホストは、CORE_INIT_CMD（初期化コマンド）をNFCコントローラに送信する。すなわち、デバイスホストは、NFCコントローラを初期化する。次に、NFCコントローラは、CORE_INIT_CMD  を受信した後に、CORE_INIT_RSP（初期化応答）をデバイスホストにフィードバックする。CORE_INIT_RSP応答において、Supported  RF  Interfaceフィールドが0x04、すなわち、NDEF  Access  RF  Interfaceを含む場合、これは、NFCコントローラがNDEFを検出する能力を有することを示す。
【００５３】
方式２：デバイスホストは、フォーマット問い合わせコマンドをNFCコントローラに送信する。NFCコントローラは、フォーマット問い合わせコマンドを受信した後に、フォーマット問い合わせ応答をデバイスホストに送信する。すなわち、フォーマット機能メッセージは、具体的にフォーマット問い合わせ応答である。例えば、デバイスホストは、FORMAT_INQ_CMD（フォーマット問い合わせコマンド）をNFCコントローラに送信し、次に、NFCコントローラは、FORMAT_INQ_CMDを受信した後に、FORMAT_INQ_RSP（フォーマット問い合わせ応答）をデバイスホストにフィードバックする。
【００５４】
明らかに、この実施例は、例として使用された前述の２つの方式に限定されない。NFCコントローラは、デバイスホストに送信されるメッセージに、NFCコントローラがタグにおいてNDEF検出を実行する能力を有するか否かについての情報を更に追加してもよい。
【００５５】
202：デバイスホストは、構成コマンドをNFCコントローラに送信する。構成コマンドは、NFCコントローラがタグにおいてNDEF検出を実行するか否かを示すために使用される。
【００５６】
例えば、デバイスホストは、CORE_SET_CONFIG_CMDコマンドをNFCコントローラに送信する。CORE_SET_CONFIG_CMDコマンドは、フォーマットパラメータを含む。フォーマットパラメータの具体的な形式は表３に示されている。
【表３】
0006301520.tif 000004
【００５７】
表３において、フィールドにより示される意味又は値の例は以下の通りである。
Parameter  1は、フォーマットパラメータを示し、フォーマットパラメータは3バイト（3  Octets）を有する。
ID（識別子）は、1バイト（1  Octet）を占有し、0xA0は、フォーマットパラメータの識別子を示す。
Len（長さ）は、1バイト（1  Octet）を占有し、1は、Valの長さが1バイトであることを示す。
Val（値）は、1バイト（1  Octet）を占有し、Valの値が0000  0000である場合、これは、構成コマンドがNFCコントローラに対してタグにおいてNDEF検出を実行しないように命令することを示す。Valの値がゼロでない場合（例えば、0000  0001）、これは、構成コマンドがNFCコントローラに対してタグにおいてNDEF検出を実行するように命令することを示す。
【００５８】
Parameter  1により占有されるバイトの値は、この実施例では限定されない点に留意すべきである。Parameter  1に含まれるID、Len又はValにより占有されるバイトが変化した場合、Parameter  1により占有されるバイトの値も変化してもよい。
【００５９】
任意選択で、構成コマンドは、NFCコントローラがタグにおいてデータタイプ検出を実行することを示すために更に使用される。デバイスホストによりNFCコントローラに送信されたCORE_SET_CONFIG_CMDコマンドが、NFCコントローラがタグにおいてデータタイプ検出を実行することを示すために更に使用される場合、CORE_SET_CONFIG_CMDコマンドは、フォーマットパラメータとデータタイプパラメータとを含む。CORE_SET_CONFIG_CMDについて２つの表現方式が存在し、具体的な形式は表４及び表５に示されている。
【表４】
0006301520.tif 000005
【００６０】
フォーマットパラメータParameter  1の詳細な説明については、表３の説明に参照が行われてもよく、ここでは詳細について再び説明しない。
【００６１】
表４において、フィールドにより示される意味又は値の例は以下の通りである。
Parameter  2は、データタイプパラメータを示し、データタイプパラメータは3バイト（3  Octets）を有する。
ID（識別子）は、1バイト（1  Octet）を占有し、0xA1は、データタイプパラメータの識別子を示す。
Len（長さ）は、1バイト（1  Octet）を占有し、1は、Valの長さが1バイトであることを示す。
Val（値）は、1バイト（1  Octet）を占有し、Valの値Xが0101  0000である場合、これは、構成コマンドがNFCコントローラに対して第２及び第４のデータタイプにおいて検出を実行するように命令することを示す。タグは8個のデータタイプを有することが分かり得る。デバイスホストは、8個のデータタイプを特定の順序に配置し、Valの値の各ビットを１つのデータタイプに対応付けさせる。Xのビットが1である場合、これは、そのビットに対応するデータタイプが検出される必要があることを示す。ビットが0である場合、これは、そのビットに対応するデータタイプが検出される必要がないことを示す。例えば、第１のタイプから第８のタイプまでの8個のデータタイプの系列は、0x00、0x01、0x02、0x03、0x04、0x05、0x06及び0x07のようになる。相応して、第１のビットは0x00に対応し、第２のビットは0x01に対応し、第３のビットは0x02に対応し、第４のビットは0x03に対応し、類推して、第８のビットは0x07に対応する。表４の構成コマンドの要件に従って、NFCコントローラは、タグのデータタイプが２つのデータタイプの一方、すなわち、0x01又は0x03であるか否かを検出する。
【表５】
0006301520.tif 000006
【００６２】
表５において、フィールドにより示される意味又は値の例は以下の通りである。フォーマットパラメータParameter  1の詳細な説明については、表３の説明に参照が行われてもよく、ここでは詳細について再び説明しない。
Parameter  2は、データタイプパラメータを示し、データタイプパラメータは3バイト（3  Octets）を有する。
ID（識別子）は、1バイト（1  Octet）を占有し、0xA1は、データタイプパラメータの識別子を示す。
Len（長さ）は、1バイト（1  Octet）を占有し、1は、Valの長さが1バイトであることを示す。
Val（値）は、1バイト（1  Octet）を占有し、Valの値が0000  0000である場合、これは、構成コマンドがNFCコントローラに対してタグにおいてデータタイプ検出を実行しないように命令することを示す。Valの値がゼロでない場合（例えば、0000  0001）、これは、構成コマンドがNFCコントローラに対してタグにおいてデータタイプ検出を実行するように命令することを示す。
【００６３】
このステップにおいて、デバイスホスト、NFCコントローラ及びNDEFの説明については、図１のステップ102に参照が行われてもよい。
【００６４】
203：NFCコントローラは、構成コマンド応答メッセージをデバイスホストに送信する。
【００６５】
デバイスホストにより送信された構成コマンドを受信した後に、NFCコントローラは、構成コマンド応答メッセージをデバイスホストに送信する。構成コマンド応答メッセージは、CORE_SET_CONFIG_RSPでもよい。
【００６６】
204：デバイスホストは、無線周波数発見開始コマンドをNFCコントローラに送信する。
【００６７】
NFCコントローラにより送信された構成コマンド応答メッセージを受信した後に、デバイスホストは、無線周波数発見開始コマンドをNFCコントローラに送信する。或いは、デバイスホストは、構成コマンドを送信した後に所定の時間だけ待機し、無線周波数発見開始コマンドをNFCコントローラに送信することを開始する。例えば、デバイスホストは、RF_DIS_CMD（無線周波数発見開始コマンド）をNFCコントローラに送信する。
【００６８】
所定の時間の範囲は、この実施例では限定されない。例えば、所定の時間が200msである場合、デバイスホストは、構成コマンドをNFCコントローラに送信した200ms後に、無線周波数発見開始コマンドをNFCコントローラに送信することを開始する。
【００６９】
205：NFCコントローラは、無線周波数発見応答メッセージをデバイスホストに送信し、タグのタイプを読み取るための無線周波数発見を開始する。
【００７０】
無線周波数発見応答メッセージは、NFCコントローラが無線周波数発見開始コマンドを受信したという通知情報を含む。例えば、NFCコントローラは、RF_DIS_RSP（無線周波数発見応答メッセージ）をデバイスホストに送信する。
【００７１】
206：NFCコントローラは、タグのフォーマットがタグのタイプに従ってNDEFであるか否かを決定する。
【００７２】
NFCコントローラが、タグのフォーマットがNDEFであるか否かを決定する方式については、図１のステップ102に参照が行われてもよく、ここでは詳細について再び説明しない。
【００７３】
207：タグのフォーマットがNDEFであることを決定した場合、NFCコントローラは、タグのデータタイプを決定する。
【００７４】
このステップは任意選択のステップであり、NFCコントローラがタグのデータタイプを検出することを示す情報を構成コマンドが更に含む場合にのみ、NFCコントローラがステップ207を実行する必要がある点に留意すべきである。従って、図２において、ステップ207は点線のボックスで表される。
【００７５】
NFCコントローラがタグのデータタイプを決定する方式については、依然として図１のステップ102に参照が行われてもよい。
【００７６】
208：NFCコントローラは、通知メッセージをデバイスホストに送信する。
【００７７】
通知メッセージの詳細な説明については、図１のステップ103に参照が行われてもよい。
【００７８】
209：タグのフォーマットがNDEFである場合、デバイスホストは、NDEF無線周波数インタフェースを確立する。
【００７９】
NDEF無線周波数インタフェースは、デバイスホストとNFCコントローラとの間のインタフェースである。NFCコントローラは、NDEF無線周波数インタフェースを使用することによって、NFCコントローラとタグ（タグのフォーマットはNDEFである）との間で送信されたデータをデバイスホストに送信する。或いは、デバイスホストは、まずNDEF無線周波数インタフェースを使用することによって、タグに送信されるべきデータをNFCコントローラに送信し、次にNFCコントローラがデータをタグに転送する。
【００８０】
具体的に、デバイスホストは、RF_DISCOVER_SELECT_CMD（無線周波数発見選択コマンド）をNFCコントローラに送信する。RF_DISCOVER_SELECT_CMDは、デバイスホストがNDEF無線周波数インタフェースを確立したという情報を含む。RF_DISCOVER_SELECT_CMDの具体的な形式は表６に示されている。
【表６】
0006301520.tif 000007
【００８１】
表６において、フィールドにより示される意味又は値の例は以下の通りである。
RF  Discovery  IDは、無線周波数発見識別子を示し、無線周波数発見に対応するタグを識別するために使用される。
XXは、タグの識別子を示す。
RF  Protocolは、NFCコントローラとタグとの間の通信の方式（例えば、タグプロトコル）を示す。
RF  Interfaceは、デバイスホストとNFCコントローラとの間のインタフェース（例えば、NDEF無線周波数インタフェース）を示す。
【００８２】
デバイスホストとNFCコントローラとの間にNDEF無線周波数インタフェースが確立された後、且つ、NFCコントローラがデバイスホストにより送信されたデータを受信した後に、NFCコントローラは、データをタグにより受信可能なフォーマットのデータに変換してもよい。タグは、NDEF無線周波数インタフェースに対応するRF  Discover  IDにより識別されるタグである。
【００８３】
ステップ201〜209において、デバイスホストとの相互作用を実行するためにNFCコントローラにより使用されるインタフェースは、NFCコントローラインタフェース（NFC  controller  Interface、NCI）でもよいことが分かり得る。NCIは、デバイスホストとNFCコントローラとの間の論理インタフェースであり、NCIは、デバイスホストとNFCコントローラとの間で様々なコマンドを送信するように構成される。
【００８４】
210：デバイスホストは、NDEF無線周波数インタフェースを使用することによって、読み取り／書き込みコマンドをNFCコントローラに送信する。
【００８５】
読み取り／書き込みコマンドは、タグのデータを取得するために使用される。或いは、読み取り／書き込みコマンドは、タグのデータを変更するために使用される。
【００８６】
211：NFCコントローラは、読み取り／書き込みコマンドをNDEF読み取り／書き込みコマンドに変換し、NDEF読み取り／書き込みコマンドに従ってタグにおいてデータ読み取り／書き込みを実行する。
【００８７】
異なるタイプのNFCタグにより受信される読み取り／書き込みコマンドの内容は異なる。例えば、Type1により受信される読み取り／書き込みコマンドはReadであり、Type2により受信される読み取り／書き込みコマンドはRである。NFCコントローラは、NDEF無線周波数インタフェースを使用することによって、デバイスホストにより送信された読み取り／書き込みコマンドを異なるタイプのタグに対応するNDEF読み取り／書き込みコマンドに変換する。NDEF読み取り／書き込みコマンドは、NDEF読み取りコマンドでもよく、NDEF書き込みコマンドでもよい。
【００８８】
例えば、NFCコントローラは、NDEF読み取りコマンドをタグに送信し、NDEF読み取りコマンドは、NFCタグに対してタグのデータを送信するように命令する。NDEF読み取りコマンドを受信した後に、NFCタグは、タグのデータをNFCコントローラに送信する。
【００８９】
212：NFCコントローラは、タグのデータをデバイスホストに送信する。
【００９０】
213：デバイスホストは、受信したタグのデータをNFCアプリケーションに送信する。
【００９１】
ステップ213の前に、デバイスホストは、NFCアプリケーションにより送信された登録メッセージを受信してもよい点に留意すべきである。具体的に、インストールされた後又は最初に実行したときに、NFCアプリケーションは、タグのデータタイプを処理するNFCアプリケーションの能力に従ってデバイスホストとの登録を実行する。例えば、NFCスキャニングをサポートするブラウザアプリケーションプログラムは、データタイプ、すなわち、URI（0x03）をデバイスホストに登録してもよい。
【００９２】
タグのフォーマットがNDEFであることを通知メッセージが含む場合、デバイスホストは、タグのデータを実行アプリケーションに送信する。例えば、実行アプリケーションは、NFCスキャニングをサポートするブラウザ、NFCスキャニングをサポートするビデオプレイヤ、及びNFCスキャニングをサポートする写真アルバムを含む。デバイスホストは、タグのデータを前述の３つの実行アプリケーションに送信し、前述の３つの実行アプリケーションは、実際の状況（タグのデータタイプを処理するアプリケーションの能力）に従ってタグを処理する。
【００９３】
通知メッセージが、タグのフォーマットがNDEFであることを含み、タグのデータタイプを含む場合、デバイスホストは、タグのデータをデータタイプに対応するアプリケーションに送信する。例えば、実行アプリケーションは、NFCスキャニングをサポートするブラウザ、NFCスキャニングをサポートするビデオプレイヤ、及びNFCスキャニングをサポートする写真アルバムを含む。タグのデータタイプがURI（0x03）である場合、デバイスホストは、タグのデータタイプに従って、タグのデータをNFCスキャニングをサポートするブラウザに送信する。
【００９４】
本発明のこの実施例で提供されるタグ識別方法によれば、NFC端末のデバイスホストが、NFCコントローラを使用することによりタグのフォーマット及びタグのデータタイプを決定することが実現され得る。タグのフォーマット及びタグのデータタイプを取得した後に、デバイスホストは、タグのデータタイプに従って、処理のためにタグのデータをタグのデータタイプに対応するアプリケーションに送信する。これにより、デバイスホストは、タグの全内容を分析する必要なく、タグのフォーマット及びタグのデータタイプを決定することができる。更に、デバイスホストにより確立されたNDEF無線周波数インタフェースは、NFCタグのデータがデバイスホストとNFCコントローラとの間で送信されることを可能にし得る。これにより、タグがデバイスホストにより処理され得るという目的を達成する。
【００９５】
本発明のこの実施例の実現方式では、デバイスホストとNFCコントローラとの間の送信インタフェースが明確に記載されている。図３に示すように、デバイスホストがNFCコントローラにより送信された通知メッセージを受信する前に（すなわち、デバイスホストがNDEF無線周波数インタフェースを確立する前に）、デバイスホストとNFCコントローラとの間のコマンド送信は、NCIを使用することにより実行される。デバイスホストがNFCコントローラにより送信された通知メッセージを受信した後に、デバイスホストは、NDEF無線周波数インタフェースを確立し、デバイスホストとNFCコントローラとの間のNDEFデータ送信は、NDEF無線周波数インタフェースを使用することによって実行される。
【００９６】
図４に示すように、本発明の実施例は、読み取りモジュール401と、決定モジュール402と、送信モジュール403とを含むタグ識別装置40を提供する。この装置は、NFC端末のユニット、例えば、NFCコントローラでもよい。
【００９７】
読み取りモジュール401は、タグのタイプを読み取るように構成される。
【００９８】
決定モジュール402は、タグのタイプに従ってタグのフォーマットがNDEFであるか否かを決定し、決定の結果を送信モジュール403に送信するように構成される。
【００９９】
送信モジュール403は、タグのフォーマットがNDEFであることを決定モジュール402が決定した場合、通知メッセージをデバイスホストに送信するように構成される。通知メッセージは、タグのフォーマットがNDEFであることを含む。
【０１００】
通知メッセージの詳細な説明については、図１のステップ103に参照が行われてもよい。
【０１０１】
更に、図５に示すように、タグ識別装置50において、タグ識別装置50は、受信モジュール404と、変換モジュール405と、処理モジュール406とを更に含む。
【０１０２】
具体的に、読み取りモジュール401がタグのタイプを読み取る前に、送信モジュール403は、フォーマット機能メッセージをデバイスホストに送信する。フォーマット機能メッセージは、NFCコントローラがタグにおいてNDEF検出を実行する能力を有するか否かについての情報を保持する。具体的に、フォーマット機能メッセージは、初期化応答でもよい。例えば、受信モジュール404は、デバイスホストにより送信された初期化コマンドを受信する。次に、送信モジュール403は、初期化応答をNFCコントローラに送信する。初期化応答は、NFCコントローラがタグにおいてNDEF検出を実行する能力を有するか否かについての情報を保持する。
【０１０３】
NFCコントローラがタグにおいてNDEF検出を実行する能力を有するか否かについての情報を初期化応答が保持する場合、受信モジュール404は、デバイスホストにより送信された構成コマンドを受信する。構成コマンドは、NFCコントローラがタグにおいてNDEF検出を実行するか否かを示すために使用される。NFCコントローラがタグにおいてNDEF検出を実行する必要があることを構成コマンドが示す場合、読み取りモジュール401は、タグのタイプを読み取ることが分かり得る。
【０１０４】
任意選択で、構成コマンドは、NFCコントローラがタグにおいてデータタイプ検出を実行することを示すために更に使用される。
【０１０５】
更に、タグのタイプがType  1である場合、決定モジュール402は、タグのフォーマットがタグのHR0に従ってNDEFであるか否かを決定する。タグのタイプがType  2である場合、決定モジュール402は、タグのフォーマットがタグのCCに従ってNDEFであるか否かを決定する。タグのタイプがType  3である場合、決定モジュール402は、タグのフォーマットがタグのSystem  Codeに従ってNDEFであるか否かを決定する。タグのタイプがType  4である場合、決定モジュール402は、タグのフォーマットがタグのCCファイルのファイル識別子に従ってNDEFであるか否かを決定する。
【０１０６】
更に、送信モジュール403が通知メッセージをデバイスホストに送信した後に、受信モジュール404は、NDEF無線周波数インタフェースを使用することによって、デバイスホストにより送信された読み取り／書き込みコマンドを受信し、変換モジュール405は、読み取り／書き込みコマンドをNDEF読み取り／書き込みコマンドに変換し、次に、処理モジュール406は、NDEF読み取り／書き込みコマンドに従ってタグにおいてデータ読み取り／書き込みを実行する。
【０１０７】
本発明のこの実施例で提供されるタグ識別装置によれば、NFC端末のデバイスホストが、NFCコントローラを使用することによりタグのフォーマット及びタグのデータタイプを決定することが実現され得る。タグのフォーマット及びタグのデータタイプを取得した後に、デバイスホストは、タグのデータタイプに従って、処理のためにNFCタグのデータをタグのデータタイプに対応するアプリケーションに送信する。これにより、デバイスホストは、NFCタグの全内容を分析する必要なく、タグのフォーマット及びタグのデータタイプを決定することができる。
【０１０８】
図６に示すように、本発明の実施例は、NFCコントローラ601と、デバイスホスト602とを含むタグ識別装置60を提供する。NFCコントローラ601は、デバイスホスト602に接続される。
【０１０９】
NFCコントローラ601は、タグのタイプを読み取り、タグのタイプに従ってタグのフォーマットがNFCデータ交換フォーマット（NDEF）であるか否かを決定するように構成される。タグのフォーマットがNDEFであることをNFCコントローラ601が決定した場合、NFCコントローラ601は、通知メッセージをデバイスホスト602に送信する。通知メッセージは、タグのフォーマットがNDEFであることを含む。
【０１１０】
タグのタイプがType  1である場合、NFCコントローラ601は、タグのフォーマットがタグのHR0に従ってNDEFであるか否かを決定する。タグのタイプがType  2である場合、NFCコントローラ601は、タグのフォーマットがタグのCCに従ってNDEFであるか否かを決定する。タグのタイプがType  3である場合、NFCコントローラ601は、タグのフォーマットがタグのSystem  Codeに従ってNDEFであるか否かを決定する。タグのタイプがType  4である場合、NFCコントローラ601は、タグのフォーマットがタグのCCファイルのファイル識別子に従ってNDEFであるか否かを決定する。
【０１１１】
通知メッセージの詳細な説明については、図１のステップ103に参照が行われてもよい。
【０１１２】
デバイスホスト602は、NFCコントローラ601により送信された通知メッセージを受信するように構成される。
【０１１３】
更に、NFCコントローラ601は、フォーマット機能メッセージをデバイスホスト602に送信するように更に構成される。フォーマット機能メッセージは、NFCコントローラ601がタグにおいてNDEF検出を実行する能力を有するか否かについての情報を保持する。具体的に、フォーマット機能メッセージは、初期化応答でもよい。例えば、デバイスホスト602は、まず初期化コマンドをNFCコントローラ601に送信する。デバイスホスト602により送信された初期化コマンドを受信した後に、NFCコントローラ601は、初期化応答をデバイスホスト602に送信する。初期化応答は、NFCコントローラがタグにおいてNDEF検出を実行する能力を有するか否かについての情報を保持する。
【０１１４】
更に、デバイスホスト602は、構成コマンドをNFCコントローラに送信するように更に構成される。構成コマンドは、NFCコントローラ601がタグにおいてNDEF検出を実行するか否かを示すために使用される。
【０１１５】
NFCコントローラ601は、デバイスホスト602により送信された構成コマンドを受信するように更に構成される。
【０１１６】
任意選択で、構成コマンドは、NFCコントローラ601がタグにおいてデータタイプ検出を実行することを示すために使用される。
【０１１７】
更に、デバイスホスト602は、NFCコントローラ601により送信された通知メッセージを受信した後に、NFCコントローラ601とデータ送信を実行するためにNDEF無線周波数インタフェースを確立するように更に構成される。
【０１１８】
更に、デバイスホスト602は、NDEF無線周波数インタフェースを使用することによって、読み取り／書き込みコマンドをNFCコントローラ601に送信するように更に構成される。
【０１１９】
NFCコントローラ601は、NDEF無線周波数インタフェースを使用することによって、デバイスホスト602により送信された読み取り／書き込みコマンドを受信し、読み取り／書き込みコマンドをNDEF読み取り／書き込みコマンドに変換し、NDEF読み取り／書き込みコマンドに従ってタグにおいてデータ読み取り／書き込みを実行するように更に構成される。
【０１２０】
図６に示す装置は、NFC端末でもよく、NFC端末は、移動電話、タブレットコンピュータ及びカメラのようなNFC機能を有する端末でもよい。
【０１２１】
図６に示す装置60においてモジュールの具体的な実現処理及びモジュールの間の情報交換のような内容は、本発明の方法の実施例と同じ発明の概念に基づくため、方法の実施例に参照が行われてもよく、ここでは詳細について再び説明しない点に留意すべきである。
【０１２２】
本発明のこの実施例で提供されるタグ識別装置によれば、NFC端末のデバイスホストが、NFCコントローラを使用することによりタグのフォーマット及びタグのデータタイプを決定することが実現され得る。タグのフォーマット及びタグのデータタイプを取得した後に、デバイスホストは、タグのデータタイプに従って、処理のためにNFCタグのデータをタグのデータタイプに対応するアプリケーションに送信する。これにより、デバイスホストは、NFCタグの全内容を分析する必要なく、タグのフォーマット及びタグのデータタイプを決定することができる。
【０１２３】
便宜上且つ簡潔な説明の目的で、前述の機能モジュールの分割は説明のための例として挙げられていることが、当業者により明確に分かり得る。実際の用途では、前述の機能は、要件に従って異なる機能モジュールに割り当てられて実現されてもよい。すなわち、装置の内部構成は、前述の機能の全部又は一部を実現するために、異なる機能モジュールに分割される。前述のシステム、装置及びユニットの詳細な動作処理については、前述の方法の実施例の対応する処理に参照が行われてもよく、ここでは詳細について再び説明しない。
【０１２４】
この出願で提供される複数の実施例では、開示の装置及び方法は他の方式で実現されてもよいことが分かるべきである。例えば、記載の装置の実施例は、単なる例示である。例えば、モジュール又はユニットの分割は、単に論理的な機能分割であり、実際の実現では他の分割でもよい。例えば、複数のユニット又はコンポーネントは結合されてもよく、他のシステムに統合されてもよく、いくつかの機能が無視されてもよく実行されなくてもよい。更に、表示又は説明した相互結合若しくは直接結合又は通信接続は、いくつかのインタフェースを使用することにより実現されてもよい。装置又はユニットの間の間接結合又は通信接続は、電気的、機械的又は他の形式で実現されてもよい。
【０１２５】
別々の部分として記載したユニットは、物理的に別々でもよく別々でなくてもよい。ユニットとして表示された部分は、物理的なユニットでもよく物理的なユニットでなくてもよく、１つの位置に存在してもよく、複数のネットワークユニットに分散されてもよい。ユニットの一部又は全部は、実施例の対策の目的を達成するために、実際のニーズに従って選択されてもよい。
【０１２６】
更に、本発明の実施例における機能ユニットは、１つの処理ユニットに統合されてもよく、ユニットのそれぞれが物理的に単独で存在してもよく、２つ以上のユニットが１つのユニットに統合されてもよい。統合されたユニットは、ハードウェアの形式で実現されてもよく、ソフトウェアの機能ユニットの形式で実現されてもよい。
【０１２７】
統合されたユニットがソフトウェア機能ユニットの形式で実現され、独立したプロダクトとして販売又は使用される場合、統合されたユニットは、コンピュータ読み取り可能記憶媒体に記憶されてもよい。このような理解に基づいて、基本的に本発明の技術的対策若しくは従来技術に寄与する部分、又は技術的対策の全部若しくは一部は、ソフトウェアプロダクトの形式で実現されてもよい。コンピュータソフトウェアプロダクトは、記憶媒体に記憶され、コンピュータデバイス（パーソナルコンピュータ、サーバ又はネットワークデバイス等でもよい）又はプロセッサに対して本発明の実施例に記載の方法のステップの一部又は全部を実行するように命令する複数の命令を含む。前述の記憶媒体は、USBフラッシュドライブ、取り外し可能ハードディスク、読み取り専用メモリ（ROM、Read-Only  Memory）、ランダムアクセスメモリ（RAM、Random  Access  Memory）、磁気ディスク又は光ディスクのようなプログラムコードを格納し得るいずれかの媒体を含む。
【０１２８】
前述の説明は本発明の単に特定の実現方式に過ぎず、本発明の保護範囲を限定することを意図するものではない。本発明に開示された技術的範囲内で当業者により容易に認識される如何なる変更又は置換も、本発明の保護範囲内に入るものとする。従って、本発明の保護範囲は、特許請求の範囲の保護範囲に従うものとする。
【図１】
0006301520.tif 000008
【図２】
0006301520.tif 000009
【図３】
0006301520.tif 000010
【図４】
0006301520.tif 000011
【図５】
0006301520.tif 000012
【図６】
0006301520.tif 000013